(57)【特許請求の範囲】
【請求項１】
パネル本体、及び前記パネル本体の裏面側に配置され、熱媒体が流れるパイプを有する輻射パネル部と、
患者用のベッドの下に入る幅を有して前記床面に置かれるベース部、前記ベース部に接続された柱部、及び前記床面に対向するように前記柱部に接続され、前記輻射パネル部が取り付けられるアーム部を有して前記輻射パネル部に対向する床面側に前記患者用のベッドを収容する空間が形成されるように構成され、前記床面から前記輻射パネル部を支持するスタンド部と、
前記輻射パネル部の前記パイプを流れる前記熱媒体の流量を調整する操作部と、
前記輻射パネル部の周辺に設けられ、天井の吹出口から吹き出された空気流が前記空間に収容された前記ベッド上に流れ込むのを抑制する横引き式又はロール式のカーテンとを備え、
前記ベッドに寝る患者に対応した輻射環境を提供することが可能なスタンド型輻射装置。
【請求項２】
前記スタンド部は、前記熱媒体を前記輻射パネル部が有する前記パイプに循環させる内部配管と、前記内部配管の上流側及び下流側にそれぞれ接続された一対のカップリングとを有し、
前記一対のカップリングは、他のスタンド型輻射装置のカップリングに接続用配管を介して接続可能な請求項１に記載のスタンド型輻射装置。
【請求項３】
前記スタンド部の幅方向に互いに離れて設けられた第１及び第２のカップリングと、
前記第１及び第２のカップリング間を接続し、前記熱媒体の供給源から前記第１又は第２のカップリングを介して供給された前記熱媒体を前記第２又は第１のカップリングに流す第１の供給側内部配管と、
前記スタンド部の幅方向に互いに離れて設けられた第３及び第４のカップリングと、
前記第３及び第４のカップリング間を接続するとともに、途中から分岐して前記パイプの供給側に接続され、前記第１の供給側内部配管を経由して前記第３又は第４のカップリングを介して供給された前記熱媒体を前記パイプの供給側に供給する第２の供給側内部配管と、
前記スタンド部の幅方向に互いに離れて設けられた第５及び第６のカップリングと、
前記第５及び第６のカップリング間を接続するとともに、途中から分岐して前記パイプの戻り側に接続され、前記パイプを循環した前記熱媒体を前記第６又は第５のカップリングを介して前記供給源に戻す戻り側内部配管とを、さらに備えた請求項１に記載のスタンド型輻射装置。
【請求項４】
複数の請求項１に記載のスタンド型輻射装置と、
前記熱媒体を、供給側外部配管を介して前記複数のスタンド型輻射装置の前記パイプを通り、戻り側外部配管を介して循環させる熱源装置とを備えた輻射空調システム。
【請求項５】
前記複数のスタンド型輻射装置の前記スタンド部は、前記熱媒体を前記輻射パネル部が有する前記パイプに循環させる内部配管と、前記内部配管の上流側及び下流側にそれぞれ接続された一対のカップリングとを有し、
前記複数のスタンド型輻射装置間は、前記カップリング及び接続用配管を介して接続された請求項４に記載の輻射空調システム。
【請求項６】
前記複数のスタンド型輻射装置は、
前記スタンド部の幅方向に互いに離れて設けられた第１及び第２のカップリングと、
前記第１及び第２のカップリング間を接続し、前記熱源装置から前記第１又は第２のカップリングを介して供給された前記熱媒体を前記第２又は第１のカップリングに流す第１の供給側内部配管と、
前記スタンド部の幅方向に互いに離れて設けられた第３及び第４のカップリングと、
前記第３及び第４のカップリング間を接続するとともに、途中から分岐して前記パイプの供給側に接続され、前記第１の供給側内部配管を経由して前記第３又は第４のカップリングを介して供給された前記熱媒体を前記パイプの供給側に供給する第２の供給側内部配管と、
前記スタンド部の幅方向に互いに離れて設けられた第５及び第６のカップリングと、
前記第５及び第６のカップリング間を接続するとともに、途中から分岐して前記パイプの戻り側に接続され、前記パイプを循環した前記熱媒体を前記第６又は第５のカップリングを介して前記熱源装置に戻す戻り側内部配管とを備え、
並んで配置された前記複数のスタンド型輻射装置のうち最も一方の端に配置された前記スタンド型輻射装置は、前記供給側外部配管が前記第１又は第２のカップリングに接続され、前記第４又は第３のカップリングが栓で塞がれ、
前記複数のスタンド型輻射装置間は、前記第２又は第１のカップリングと前記第１又第２のカップリング、前記第３又は第４のカップリングと前記第４又は第３のカップリング、前記第５又は第６のカップリングと前記第６又は第５のカップリングがそれぞれ接続用配管で接続され、
前記並んで配置された前記複数のスタンド型輻射装置のうち最も他方の端に配置された前記スタンド型輻射装置は、前記第２又は第１のカップリングと前記第３又は第４のカップリングとが短絡用配管によって接続され、前記第５又は第６のカップリングが栓で塞がれた請求項４に記載された輻射空調システム。
【発明の詳細な説明】
【技術分野】
【０００１】
本発明は、スタンド型輻射装置及び輻射空調システムに関する。
【背景技術】
【０００２】
従来、病室等で採用されている対流式空調システムは、熱交換により冷やされた空気（冷風）を吹出口から吹き出すことにより室内を冷やし、熱交換により温められた空気（温風）を吹出口から吹き出すことにより室内を暖めていた。このような対流式空調システムでは、冷風あるいは温風の空気対流により、温度分布によるムラが生じるとともに、人体に気流が当たって過度の温冷感を与えることがある。
【０００３】
病室で長時間ベッドに寝ていなければならない環境下では、夏はエアーコンディショナーの冷風が直接体に当ると、患者は急激に熱を奪われ不快になる。このため、エアーコンディショナーの設定温度を上げると、病室内で作業する看護士や医師が暑く感じる。一方冬は、エアーコンディショナーの設定温度を病室内で作業する看護士や医師に合わせた場合、ベッドで寝ている患者は寒く感じる。
【０００４】
特に人工透析の現場では、患者は４時間〜８時間の長期間ベッドでの治療となる。透析治療においては病状による血行の悪さと血液透析で機械的に行われる温度調整によって体温調整や温度の感じ方が健常者と異なり、体表面に少しの風が当っても寒さや痛みを感じている。透析患者は現在主流のエアーコンディショナーが設置されている病室では、夏の冷房、冬の暖房に関わらず「風」による苦痛や不快を受けていることとなる。
【０００５】
そこで、近年、パネル本体の裏面にパイプを設けた輻射パネルを天井に配設し、パイプに冷水又は温水を流すことで、輻射パネルからの輻射熱によって室内を空調する輻射空調システムが提案されている（例えば、特許文献１参照）。
【先行技術文献】
【特許文献】
【０００６】
【特許文献１】特開平７−１３９７６７号公報
【発明の概要】
【発明が解決しようとする課題】
【０００７】
しかし、このような輻射空調システムを、例えば大空間の病室に設置した場合、均一な温・湿度により均一な輻射環境が得られるかもしれないが、動き回っている医療スタッフと寝た状態の患者とでは、代謝の差が大きく体感温度が大きく異なる。すなわち、例えば冷房では、代謝の低い患者は寒く感じ、代謝の高いスタッフは暑く感じ、双方が不快を感じてしまうという欠点がある。また、病院で広く使われるベッドの周囲を覆う横引き式のカーテンは、プライバシー保護を目的としているものであるため、このカーテンでは天井との間にすき間があるため、冷風を十分に遮蔽することはできない。
【０００８】
従って、本発明の目的は、個人毎に快適な空調環境を簡易に作り出すことが可能なスタンド型輻射装置及び輻射空調システムを提供することにある。
【課題を解決するための手段】
【０００９】
本発明の一態様は、上記目的を達成するために、パネル本体、及び前記パネル本体の裏面側に配置され、熱媒体が流れるパイプを有する輻射パネル部と、患者用のベッドの下に入る幅を有して前記床面に置かれるベース部、前記ベース部に接続された柱部、及び前記床面に対向するように前記柱部に接続され、前記輻射パネル部が取り付けられるアーム部を有して前記輻射パネル部に対向する床面側に前記患者用のベッドを収容する空間が形成されるように構成され、前記床面から前記輻射パネル部を支持するスタンド部と、前記輻射パネル部の前記パイプを流れる前記熱媒体の流量を調整する操作部と、前記輻射パネル部の周辺に設けられ、天井の吹出口から吹き出された空気流が前記空間に収容された前記ベッド上に流れ込むのを抑制する横引き式又はロール式のカーテンとを備え、前記ベッドに寝る患者に対応した輻射環境を提供することが可能なスタンド型輻射装置を提供する。
【００１０】
また、本発明の他の態様は、上記目的を達成するために、複数の請求項１に記載のスタンド型輻射装置と、前記熱媒体を、供給側外部配管を介して前記複数のスタンド型輻射装置の前記パイプを通り、戻り側外部配管を介して循環させる熱源装置とを備えた輻射空調システムを提供する。
【発明の効果】
【００１１】
本発明によれば、個人毎に快適な空調環境を簡易に作り出すことが可能となる。
【図面の簡単な説明】
【００１２】
【図１】図１は、本発明の第１の実施の形態に係るスタンド型輻射装置をベッドと組み合わせた状態を示し、図１（ａ）は上方から見た斜視図、図１（ｂ）は下方から見た斜視図、図１（ｃ）はロール式カーテンでベッドの周囲を覆った状態を上方から見た斜視図である。
【図２】図２は、本発明の第１の実施の形態に係るスタンド型輻射装置をベッドと組み合わせた状態を示し、図２（ａ）は、側面図、図２（ｂ）は正面図である。
【図３】図３は、本発明の第１の実施の形態に係る輻射空調システムの配管系を模式的に示す図である。
【図４】図４（ａ）は、本発明の第２の実施の形態に係る輻射空調システムを上方から見た斜視図、図４（ｂ）は図４（ａ）のＡ部拡大図である。
【図５】図５は、本発明の第２の実施の形態に係る輻射空調システムの配管系を模式的に示す図である。
【図６】図６（ａ）、（ｂ）、（ｃ）は、本発明の第２の実施の形態に係る輻射空調システムの効果を説明するための図である。
【発明を実施するための形態】
【００１３】
以下、本発明の実施の形態について図面を参照して説明する。なお、各図中、実質的に同一の機能を有する構成要素については、同一の符号を付してその重複した説明を省略する。
【００１４】
［第１の実施の形態］
図１及び図２は、本発明の第１の実施の形態に係るスタンド型輻射装置をベッドと組み合わせた状態を示し、図１（ａ）は上方から見た斜視図、図１（ｂ）は下方から見た斜視図、図１（ｃ）はロール式カーテンでベッドの周囲を覆った状態を上方から見た斜視図である。図２（ａ）は、側面図、図２（ｂ）は正面図である。
【００１５】
このスタンド型輻射装置１は、スタンド部２と、輻射パネル部３と、ロール式カーテン４とを備え、例えばベッド１００と組み合わされて使用される。なお、ベッド１００を組み合わせる他に、マットレス、布団等の寝具、机や椅子等の家具等と組み合わせてもよい。また、本実施の形態では、スタンド型輻射装置１を病院の個室に設置する場合について説明するが、これに限られない。
【００１６】
（スタンド部）
スタンド部２は、床面ＦＬから輻射パネル部３を支持するものであり、図２（ａ）に示すように、側方から見て全体としてコ字状を有し、床面ＦＬに置かれるベース部２０と、ベース部２０にほぼ垂直に接続された柱部２１と、床面ＦＬに対向するように、例えば、床面ＦＬにほぼ平行（例えば、床面ＦＬに対して±５°以内の傾き）になるように柱部２１に接続され、輻射パネル部３が取り付けられるアーム部２２とを備える。スタンド部２は、例えばアルミニウム等の金属を主な材料として形成される。スタンド部２は、床面ＦＬから輻射パネル部３までの距離は、例えば１７００〜２０００ｍｍとしている。
【００１７】
ベース部２０は、ベッド１００の下に入るような幅（例えば５００〜７００ｍｍ）を有する。ベース部２０は、床面ＦＬにアンカーボルト等の固定手段で固定するのが好ましい。
【００１８】
アーム部２２は、必ずしも床面ＦＬに平行になっていなくてもよく、例えば先端を予め持ち上げておき、輻射パネル部３をアーム部２２に取り付けたときに床面ＦＬに平行になるようにしてもよい。また、アーム部２２は、天井からワイヤー等により支持してもよい。これにより、地震等による大きな外力が加わってもアーム部２２や輻射パネル部３が外れたり落ちたりするのを防止することが可能となり、アーム部２２を薄型化、軽量化することができる。アーム部２２のサイズは、例えば、幅９００〜１１００ｍｍ、長さ２０００〜２３００ｍｍである。
【００１９】
スタンド部２は、種々な周辺機器、付属品等を備えることができる。例えば、図１、２に示すように、柱部２１、アーム部２２、輻射パネル部３等に照度を調整可能なＬＥＤ照明２９Ａ、２９Ｂを設けてもよい。また、柱部２１に、手すり、荷物を吊り下げるためのフック、テレビ台等を設けてもよい。また、アーム部２２又は輻射パネル部３等の露出している部分に、患者の状態、治療プラン等が分かるランプサイン等を設けてもよい。これにより、病室内のベッド１００から離れた場所からでも患者の状態が把握できる。
【００２０】
（輻射パネル部）
輻射パネル部３は、薄型の長方形状を有し、アーム部２２の下面２２ａ側に取り付けられる。輻射パネル部３は、４つの側壁３０ａ、３０ｂ、３０ｃ、３０ｄ及び下壁３０ｅを有するパネル本体３０と、パネル本体３０の下壁３０ｅの裏面に接するように設けられ、水等の熱媒体が流れるパイプ３１とを備える。パネル本体３０は、例えばアルミニウム等の金属を主な材料として形成される。なお、パイプ３１は、下壁３０ｅの裏面に接して配置されている。
【００２１】
（ロール式カーテン）
ロール式カーテン４は、アーム部２２の柱部２１側の周縁を除く３つの周縁側にそれぞれ取り付けられている。なお、ロール式カーテン４は、輻射パネル部３のパネル本体３０の３つの側壁３０ａ、３０ｂ、３０ｃに設けてもよい。このロール式カーテン４は、気流遮蔽部材の一例である。
【００２２】
ロール式カーテン４は、例えば、巻き取り軸４０にカーテン４１を巻き取り及び引出し可能に連結して構成されている。カーテン４１は、エアーコンディショナーや天井に設けられた吹出口からの空気流がベッド１００に寝ている患者に当たるのを抑制することができるものであれば、材質やサイズ等は問わない。カーテン４１は、例えば、完全に気流を遮断するものでもよく、エアーコンディショナーの風を患者が感じない程度で微風を通すことのできる通気性を有する布目の粗い素材でもよい。また、カーテン４１は、患者のプライバシー保護のために中が見えないようにするものや、看護士が患者の状態や機器の状態を監視することのできるレース素材など外側からベッド１００上に居る者のシルエットがぼんやり視認可能な程度の光透過性を有するのが好ましい。ロール式カーテン４の巻き取り軸４０をアーム部２２に取り付ければ、高い気流遮蔽効果が得られ、気流遮蔽量を調節できる点で好ましい。
【００２３】
なお、気流遮蔽部材としては、ロール式カーテン４の他に、横引き式のカーテンでもよく、板部材でもよい。カーテン４１は、複数の種類のカーテンを組み合わせて通気性を調整できるようにしてもよい。横引き式のカーテンの場合、アーム部２２の柱部２１側の周縁を除く３つの周縁側に設ける。なお、アーム部２２の柱部２１側に気流遮蔽部材を設けてもよい。
【００２４】
（配管系）
図３は、本発明の第１の実施の形態に係る輻射空調システムの配管系を模式的に示す図である。輻射空調システム１０は、スタンド型輻射装置１と、スタンド型輻射装置１に対して水等の熱媒体を循環させる熱源装置５０とを備える。
【００２５】
輻射パネル部３のパネル本体３０内に配置されるパイプ３１は、水等の熱媒体が供給される側に配置される供給側メインパイプ３１０と、水等の熱媒体が戻る側に配置される戻り側メインパイプ３１１と、供給側メインパイプ３１０と戻り側メインパイプ３１１とを接続する複数の熱交換パイプ３１２とを備える。パイプ３１は、例えば樹脂により形成されるが、銅等の金属により形成されてもよい。供給側メインパイプ３１０及び戻り側メインパイプ３１１は、熱交換パイプ３１２の内径よりも大きい内径を有する。
【００２６】
柱部２１の側面には、第１乃至第６のカップリング２３Ａ〜２３Ｆが設けられている。柱部２１の内部には、第１及び第２のカップリング２３Ａ、２３Ｂ間を接続する供給側内部配管２５Ａと、第３及び第４のカップリング２３Ｃ、２３Ｄ間を接続する供給側内部配管２５Ｂと、供給側内部配管２５Ｂから分岐して供給側メインパイプ３１０に接続された供給側内部配管２５Ｃと、戻り側メインパイプ３１１に接続された戻り側内部配管２７Ａと、戻り側内部配管２７Ａが途中に接続されるとともに、第５及び第６のカップリング２３Ｅ、２３Ｆ間を接続する戻り側内部配管２７Ｂとが設けられている。
【００２７】
第１及び第２のカップリング２３Ａ、２３Ｂ、第３及び第４のカップリング２３Ｃ、２３Ｄ、第５及び第６のカップリング２３Ｅ、２３Ｆは、それぞれスタンド部２の幅方向に互いに離れて設けられている。これらのカップリング２３Ａ〜２３Ｆは、ベース部２０に設けられていてもよい。
【００２８】
なお、図３に示すスタンド型輻射装置１は、複数のスタンド型輻射装置１を接続可能としているため、供給側内部配管２５Ａを設けているが、１台専用とする場合には、供給側内部配管２５Ａ、第１及び第２のカップリング２３Ａ、２３Ｂを省いてもよい。この場合、供給側外部配管５を第４のカップリング２３Ｄに接続し、第３のカップリング２３Ｃに止水栓２４で塞ぐ。
【００２９】
また、スタンド型輻射装置１の右側に熱源装置５０を配置してもよい。スタンド型輻射装置１を上記のように１台専用とした場合、供給側外部配管５を第３のカップリング２３Ｃに接続し、戻り側外部配管６を第５のカップリング２３Ｅに接続し、第４及び第６のカップリング２３Ｄ、２３Ｆに止水栓２４で塞げばよい。このように本実施の形態のスタンド型輻射装置１は、レイアウトに応じて左右どちらでも熱源装置５０を接続することができる。
【００３０】
第２及び第３のカップリング２３Ｂ、２３Ｃ間は、短絡用配管２６によって接続されている。第４及び第５のカップリング２３Ｄ、２３Ｅは、止水栓２４で塞がれている。なお、他のスタンド型輻射装置１と接続するときは、短絡用配管２６及び止水栓２４の代わりに後述する接続用配管が接続される。
【００３１】
内部配管のうちメインの供給側内部配管２５Ａ、２５Ｂ及び戻り側内部配管２７Ｂの管径は、接続するスタンド型輻射装置１の数によって決めることができる。
【００３２】
第１乃至第６のカップリング２３Ａ〜２３Ｆは、接続が容易なカプラ方式を採用することで、配管の着脱が容易となり、専門業者でなくても接続作業が可能となる。また、バルブ付きカプラを採用することで、配管の着脱の際に水等の熱媒体が漏れないため病室や手を汚さなくて済む。
【００３３】
第１のカップリング２３Ａには、供給側外部配管５が接続され、第６のカップリング２３Ｆには、戻り側外部配管６が接続される。供給側外部配管５及び戻り側外部配管６は、熱源装置５０に接続される。熱源装置５０は、温度及び流量が制御された熱媒体としての水（例えば１６℃の水）が供給側外部配管５に供給され、輻射パネル部３内のパイプ３１を循環した後、戻り側外部配管６を介して熱源装置５０に戻るように構成されている。熱源装置５０は、熱媒体の供給源の一例である。
【００３４】
戻り側内部配管２７Ａには、水等の熱媒体の流量を調整する流量調整バルブ２８を設けている。流量調整バルブ２８は、看護士、患者、見舞い人等が操作可能なように柱部２１や柱部２１の近くに設けられてもよい。流量調整バルブ２８を操作してパイプ３１を流れる水等の熱媒体の量を変えることで、患者の代謝に応じた輻射空調を行うことができる。なお、流量調整バルブ２８として電動バルブを用い、柱部２１等に設けた調整ボタンによりパイプ３１を流れる水等の熱媒体の流量を調整できるようにしてもよく、柱部２１等に設けた選択ボタンにより段階的に選択できるようにしてもよい。流量調整バルブ２８、調整ボタン及び選択ボタンは、操作部の一例である。
【００３５】
本実施の形態の配管系は、メインの供給側内部配管２５Ａ、２５Ｂ及び戻り側内部配管２７Ｂからそれぞれ輻射パネル部３のパイプ３１へ分岐する構成（並列系統）としたが、接続するスタンド型輻射装置１の数が少ないときには、メインの供給側内部配管２５Ａ、２５Ｂ及び戻り側内部配管２７Ｂを用いないで、直接パイプ３１に接続する直列系統でもよい。
【００３６】
（スタンド型輻射装置の設置）
次に、本スタンド型輻射装置１を設置する方法の一例を説明する。スタンド型輻射装置１を室内に設置する場合は、スタンド型輻射装置１を室内の床面ＦＬの所定の位置に配置し、ベース部２０をアンカーボルト等を用いて床面ＦＬに固定する。ベッド１００をベース部２０の先端側からアーム部２２側に向かって移動させる。第１のカップリング２３Ａに供給側外部配管５を接続し、第６のカップリング２３Ｆに戻り側外部配管６を接続する。以上のようにしてスタンド型輻射装置１が室内に設置される。なお、ベース部２０、柱部２１及びアーム部２２を組み立てずに別々にベッド１００の近傍まで運び、そこで組み立ててもよい。また、スタンド部２と輻射パネル部３とを組み立てずに別々にベッド１００の近傍まで運び、スタンド部２を床面ＦＬに固定した後、輻射パネル部３を組み立ててもよい。また、ベース部２０にキャスターを取り付けて、スタンド型輻射装置１全体、又はスタンド部２のみを移動可能にしてもよい。
【００３７】
（第１の実施の形態の動作）
次に、輻射空調システム１０の動作の一例を説明する。熱源装置５０から温度及び流量が制御された熱媒体としての水（例えば１６℃の水）が供給側外部配管５に供給されると、水等の熱媒体は第１のカップリング２３Ａ、供給側内部配管２５Ａ、第２のカップリング２３Ｂ、短絡用配管２６、第３のカップリング２３Ｃ及び供給側内部配管２５Ｂ、２５Ｃを流れて、供給側メインパイプ３１０に流入する。
【００３８】
供給側メインパイプ３１０に流入した水等の熱媒体（例えば１６℃）は、供給側メインパイプ３１０内を流れて各熱交換パイプ３１２に流入し、戻り側メインパイプ３１１に流入する。水等の熱媒体が熱交換パイプ３１２を通過するとき、パネル本体３０で熱交換される。パネル本体３０で熱交換された水等の熱媒体（例えば１８℃）は、戻り側メインパイプ３１１に流入し、戻り側内部配管２７Ａ、２７Ｂ、第６のカップリング２３Ｆ及び戻り側外部配管６を流れて熱源装置５０に戻る。
【００３９】
（第１の実施の形態の効果）
第１の実施の形態によれば、以下の効果を奏する。
（ア）本スタンド型輻射装置１を用いることで、従来のように既存の天井を解体して新たに輻射パネルによる天井を形成しなくても輻射空調環境を作ることができるので、個人毎に快適な空調環境を簡易に作り出すことが可能となる。
（イ）エアーコンディショナーや天井の吹出口からの風をロール式カーテン４によって遮ることができるので、風の無い快適な空調空間を提供することができ、ベッド１００の上に快適に寝ていられる。
（ウ）本スタンド型輻射装置１は、自立型であるので、既存のベッド１００に取り付けたり、並設することを容易にできる。
（エ）ロール式カーテン４でエアーコンディショナーからの風を遮蔽した環境内において、ベッド１００に寝ている患者からの熱のやり取りは輻射パネル部３で行うため、風のない快適な空調環境を作り出すことができ、夏は冷房、冬は暖房の環境を作り出すことができる。
【００４０】
［第２の実施の形態］
図４及び図５は、本発明の第２の実施の形態に係る輻射空調システムを示し、図４（ａ）は、輻射空調システムを上方から見た斜視図、図４（ｂ）は図４（ａ）のＡ部拡大図、図５は、輻射空調システムの配管系を模式的に示す図である。
【００４１】
第１の実施の形態では、熱源装置５０に１つのスタンド型輻射装置１を接続したが、本実施の形態は、熱源装置５０に複数のスタンド型輻射装置１を接続したものである。また、本実施の形態は、例えば複数のスタンド型輻射装置１を病室に設置した場合を示す。
【００４２】
この輻射空調システム１０は、第１の実施の形態のスタンド型輻射装置１を複数台接続したものである。図５に示すように、同図において最も左側に位置するスタンド型輻射装置１と熱源装置５０とが供給側外部配管５及び戻り側外部配管６により接続される。各スタンド型輻射装置１間は、接続用配管７によって熱源装置５０側（上流側）のスタンド型輻射装置１の第２、第３、第５のカップリング２３Ｂ、２３Ｃ、２３Ｅと熱源装置５０と反対側（下流側）のスタンド型輻射装置１の第１、第４、第６のカップリング２３Ａ、２３Ｄ、２３Ｆとがそれぞれ接続される。なお、病室は、２人部屋、４人部屋、６人部屋等の個室以外の部屋でもよい。また、本輻射空調システム１０が適用される対象は、病室に限られず、老人ホーム等の介護施設等でもよい。
【００４３】
（第２の実施の形態の動作）
次に、本輻射空調システム１０の動作の一例を説明する。熱源装置５０から温度及び流量が制御された熱媒体としての水が供給側外部配管５に供給されると、水等の熱媒体は各スタンド型輻射装置１の供給側内部配管２５Ａを順次通って、図５において最も右（下流側）に位置するスタンド型輻射装置１の短絡用配管２６で折り返した後、上流側に向かって各スタンド型輻射装置１の供給側内部配管２５Ｂを順次通る。水等の熱媒体は、上流側に向かって供給側内部配管２５Ｂを通る際に供給側内部配管２５Ｃで分岐してそれぞれの輻射パネル部３のパイプ３１を循環し、戻り側内部配管２７Ａを介して戻り側内部配管２７Ｂに戻り、戻り側外部配管６を流れて熱源装置５０に戻る。
【００４４】
各スタンド型輻射装置１のパイプ３１に供給された水は、パネル本体３０で熱交換された後、戻り側外部配管６を介して熱源装置５０に戻る。水がパイプ３１を通過する間にパネル本体３０による輻射が行われる。なお、図５において、第１の実施の形態で説明したように、並んで配置された複数のスタンド型輻射装置１の左側に接続した熱源装置５０を右側から接続するように変更してもよい。
【００４５】
（第２の実施の形態の効果）
第２の実施の形態によれば、以下の効果を奏する。
【００４６】
図６（ａ）、（ｂ）、（ｃ）は、第２の実施の形態の効果を説明するための図である。図６（ａ）、（ｂ）に示すように、例えば人工透析室等の病室に２列に複数のベッドが配置されており、それぞれスタンド型輻射装置１が２列に並んで設置されている。ベッド１００の近くの天井面ＣＬには、対流式空調を行うための複数の吹出口８が配置されている。各吹出口８は、吹出ダクトを介して外気処理空調機（外調機）が接続されている。
【００４７】
（ア）第２の実施の形態によれば、第１の実施の形態と同様に上方の吹出口８から吹き出した空気流８ａが、ロール式カーテン４のカーテン４１によって患者の所に流れ込みにくくなるので、患者は空気流８ａによる寒さを感じることが少なくなり、ベッド１００の上で快適に寝ることができる。
（イ）図６に示すように、吹出口８から吹き出した空気流８ａが拡散しないので、ベッド１００が配置されている患者ゾーン以外のスタッフゾーン内は比較的早い空気流速を維持でき、医療スタッフはロール式カーテン４を設けない場合よりも涼しく感じることができる。
（ウ）各スタンド型輻射装置１に設けられている流量調整バルブ２８によってパイプ３１を流れる水等の熱媒体の流量を調整できるので、各患者に応じた輻射環境を提供することができる。
（エ）病室全体にも輻射効果を付与するために、ベッドとベッドの間にスタンド型輻射装置１を設置して、輻射空調の範囲を広げることも可能である。
（オ）メインの供給側内部配管２５Ａ、２５Ｂにより構成されたリバース回路により、複数のスタンド型輻射装置を接続しても温度ムラを抑制することができる。
【００４８】
なお、本発明は、上記各実施の形態に限定されず、その要旨を変更しない範囲内で種々に変形実施が可能である。例えば、寝ている患者に圧迫感を与えないように輻射パネル部の高さ方向の位置を調整可能にしてもよい。また、パイプ内を流れる水等の熱媒体の温度を検出する温度センサを設け、温度センサの検出する温度に基づいてパイプに流す水等の熱媒体の流量を電動バルブ等により調整してもよく、水等の熱媒体の温度を制御してもよい。
【００４９】
また、本発明の要旨を変更しない範囲内で上記各実施の形態の構成要素のうち一部を除くことも可能である。例えば、ロール式カーテン４は、遮蔽等が不要の場合は、設けなくてもよい。
【符号の説明】
【００５０】
１…スタンド型輻射装置、２…スタンド部、３…輻射パネル部、４…ロール式カーテン、５…供給側外部配管、６…戻り側外部配管、７…接続用配管、８…吹出口、８ａ…空気流、１０…輻射空調システム、２０…ベース部、２１…柱部、２２…アーム部、２２ａ…下面、２３Ａ〜２３Ｆ…カップリング、２４…止水栓、２５Ａ〜２５Ｃ…供給側内部配管、２６…短絡用配管、２７Ａ、２７Ｂ…戻り側内部配管、２８…流量調整バルブ、２９Ａ、２９Ｂ…ＬＥＤ照明、３０…パネル本体、３０ａ〜３０ｄ…側壁、３０ｅ…下壁、３１…パイプ、４０…巻き取り軸、４１…カーテン、５０…熱源装置、１００…ベッド、３１０…供給側メインパイプ、３１１…戻り側メインパイプ、３１２…熱交換パイプ、ＣＬ…天井面、ＦＬ…床面
【要約】      （修正有）【課題】個人毎に快適な空調環境を簡易に作り出すことが可能なスタンド型輻射装置及び輻射空調システムを提供する。【解決手段】スタンド型輻射装置１は、パネル本体２０、及びパネル本体３０の裏面側に配置され、熱媒体が流れるパイプを有する輻射パネル部３と、床面から輻射パネル部３を支持するスタンド部２とを備える。【選択図】図１【図１】
0005136708.tif 000002
【図２】
0005136708.tif 000003
【図３】
0005136708.tif 000004
【図４】
0005136708.tif 000005
【図５】
0005136708.tif 000006
【図６】
0005136708.tif 000007